(57)【要約】【課題】蓄光層の発光度を所望の値に容易に調整でき、蓄光層の品質が均一な帯状蓄光部を有する表面化粧材を提供する。【解決手段】本発明の帯状蓄光部を有する表面化粧材は、裏打材とその表面側に設けられた化粧層を有し、化粧層の表面側は表皮材と該表皮材の非形成部に設けられた帯状蓄光シートにより構成されていることを特徴とする。本発明の表面化粧材において、化粧層における表皮材がパイルカーペットのパイルよりなるものが好ましい。【選択図】図１
2016055131.tif 000002
【特許請求の範囲】
【請求項１】
裏打材とその表面側に設けられた化粧層を有し、化粧層の表面側は表皮材と該表皮材の非形成部に設けられた帯状蓄光シートにより構成されていることを特徴とする帯状蓄光部を有する表面化粧材。
【請求項２】
化粧層における表皮材がパイルカーペットのパイルよりなる請求項１記載の帯状蓄光部を有する表面化粧材。
【発明の詳細な説明】
【技術分野】
【０００１】
本発明は、タイルカーペット等の床材等として利用される表面化粧材に関し、詳しくは、タイルカーペット等として用いた際に、通路方向の認識を容易ならしめる帯状蓄光部を有する表面化粧材に関する。
【背景技術】
【０００２】
オフィスビルやホテルの廊下、階段などは、停電時等に通路方向が認識し難く、建物内の人が移動し難いという問題がある。近年、夜間や停電時等において暗所でも、案内等の表示を認識しやすいようにした蓄光部を有するカーペット等が提案されている。たとえばカーペット表面のパイルの上に、夜光塗料等を印刷や塗布して発光性を付与したタイルカーペット（特許文献１、２）や、カーペット表面のパイル上に所定形状の白色系保持層を設け、白色系保持層の上に蓄光層を設けた蓄光性カーペット（特許文献３）等が提案されている。
【先行技術文献】
【特許文献】
【０００３】
【特許文献１】特開２００２−１４２９５６号公報
【特許文献２】実用新案登録第３００１０１６号公報
【特許文献３】特開２００９−２７３７５９号公報
【発明の概要】
【発明が解決しようとする課題】
【０００４】
しかしながら特許文献１〜３に記載されている従来の蓄光性のタイルカーペットは、蓄光材料を含む塗液を塗布して蓄光層を形成するものであるため、特にタイルカーペットの施工現場において、タイルカーペットに蓄光層を設ける場合、蓄光層形成用塗液の塗布ムラに起因した発光ムラが生じたり、塗布厚みのムラによって蓄光層表面に凹凸が生じたり、蓄光層と周囲のパイル面との間に段差が生じ易い等の問題があり、品質のバラツキが大きくなる虞があった。
【０００５】
本発明は上記従来の課題を解決すべくなされたもので、蓄光層の発光度を所望の値に容易に調整でき、蓄光層の品質が均一な帯状蓄光部を有する表面化粧材を提供することを目的とする。
【課題を解決するための手段】
【０００６】
即ち本発明は、
（１）裏打材とその表面側に設けられた化粧層を有し、化粧層の表面側は表皮材と該表皮材の非形成部に設けられた帯状蓄光シートにより構成されていることを特徴とする帯状蓄光部を有する表面化粧材、
（２）化粧層における表皮材がパイルカーペットのパイルよりなる請求項１記載の帯状蓄光部を有する表面化粧材、
を要旨とするものである。
【発明の効果】
【０００７】
本発明の表面化粧材は、蓄光部を帯状蓄光シートにより形成したため、蓄光部の厚みが均一で、周囲の表皮材との間に段差が生じ難く、蓄光部表面の平坦性に優れるとともに、発光度のムラがなく、均一な品質を有する。特に、施工現場において蓄光部を設ける場合であっても、均一な蓄光部を形成することができる。また、比較的明るい場所で使用する場合や、比較的暗い場所で使用する場合等の目的に応じた発光度に調整することが容易である等の効果を奏する。
【図面の簡単な説明】
【０００８】
【図１】本発明の表面化粧材の一例を示す縦断面図である。
【図２】帯状蓄光シートの構成の一例を示す縦断面図である。
【図３】帯状蓄光シートの異なる例を示す縦断面図である。
【発明を実施するための形態】
【０００９】
図１は本発明の表面化粧材１の一実施例を示す。図１において２は裏打層で、裏打層２の表面側に化粧層３が設けられて表面化粧材１が構成されている。図１に示す例では、基材４の表面側に、表皮材５と、該表皮材５の非形成部に形成された帯状蓄光シート６とを設けて表面層３が構成されている。
【００１０】
裏打層２を構成する素材としては、ゴム、布、合成樹脂、合成樹脂発泡材、ガラスクロス等、従来、表面化粧材の裏打材として使用されている素材を使用することができる。化粧層３における表皮材５としては、パイル、合成樹脂や木質の化粧シート、化粧板、合成木材、合成石材等が挙げられる。表面化粧材をタイルカーペットとして構成する場合には、表皮材５はパイルカーペットのパイルにより構成することが好ましい。表皮材５がパイルカーペットのパイルの場合、基材４としてはパイルが打ち込まれる織布、編布等が使用される。表皮材５が、合成樹脂や木質の化粧シートや化粧板の場合、基材４は必ずしも設けられていなくても良い。
【００１１】
帯状蓄光シート６は、透明バインダー樹脂に蓄光顔料を配合した蓄光層形成用塗料組成物により形成された蓄光層７を有し、図２に示す例では、蓄光層７の裏面側に反射層８が設けられ、表面側には保護層９が設けられている。蓄光層７は蓄光層形成用塗料組成物を、ロール・トゥ・ロールの工場ラインにおいて連続製膜する等により形成され、ムラのない発光性能を発現する帯状蓄光シート７を得ることができる。透明バインダー樹脂としては、アクリル樹脂、ポリカーボネート樹脂、硬化前のエポキシ樹脂、エラストマー等が挙げられる。蓄光剤としては、硫化亜鉛系蓄光剤、アルミン酸ストロンチウム系蓄光剤等が挙げられる。
【００１２】
蓄光層７の厚みや、蓄光層形成用塗料組成物中の蓄光材料の配合割合を調整することにより、帯状蓄光シート６の輝度性能を容易に調節することができる。
【００１３】
反射層８は白色顔料等を添加した樹脂バインダーにより形成することができる。保護層９は、蓄光層７の表面に透明樹脂シートを積層する等により形成される。図２に示すように保護層９の表面に複数の凸条１０が設けられていると、保護層９の上を靴等で踏まれた際に、凸条１０の部分のみに汚れが付着しやすいため、保護層９全体が汚れるのを防止でき好ましい。帯状蓄光シート６は、反射層８、蓄光層７、保護層９を順次積層することにより形成しても良いが、反射層８と蓄光層７とを一体に形成し、その上に保護層９を積層することで形成することが好ましい。
【００１４】
帯状蓄光シート６は、上記したように独立した反射層８、蓄光層７、保護層９を別々に積層したり、反射層８と蓄光層７を一体に形成し、その上に保護層９を積層して形成した場合に限らず、図３に示すように、透明樹脂からなる中空状成形体１１を成形し、当該中空状成形体１１の中空部１２内に、反射層８上に蓄光層７を設けた積層シートを挟みこんで形成しても良い。中空状成形体１１は透明樹脂を押し出し成形して形成することができ、中空成形体１１の表面には、凸条１０を一体成形して設けておくことが好ましい。中空状成形体１１の中空部12内に、蓄光層７を有する積層体を挿入することで帯状蓄光シート６を構成すると、特に帯状蓄光シート６を、表面化粧材１を施工する現場において設ける場合でも、帯状蓄光シート６の取り付け作業を容易に行うことができ、発光ムラのない蓄光部を形成することができる。
【００１５】
本発明の表面化粧材は、表面材の選択により、壁材、床材、天井材、外壁材等の各種表面化粧材として用いることができるが、表面材がパイルカーペットのパイルよりなるタイルカーペットとして、ピールアップ工法による施工に利用することが好ましい。
【符号の説明】
【００１６】
１  表面化粧材
２  裏打層
３  化粧層
５  表皮材
６  帯状蓄光シート
７  蓄光層
【図１】
2016055131.tif 000003
【図２】
2016055131.tif 000004
【図３】
2016055131.tif 000005